(57)【要約】【課題】メモリ容量を圧迫することなく様々なバリエーションのフェード動作の演出ができる照明装置を提供する。【解決手段】スレーブＥＣＵ２０のＲＯＭ２０Ｂには、複数のステップに対するデューティ比が記録されている。スレーブＥＣＵ２０は、１ステップの間隔時間を設定し、設定された間隔時間毎にマップから次のステップの輝度を読み出して、読み出したデューティ比のパルスをＬＥＤ２に出力する。また、スレーブＥＣＵ２０のＲＯＭ２０Ｂには、変更デューティ比Ｄ１、変更前の間隔時間Ｔ１及び変更後の間隔時間Ｔ２が記録される。スレーブＥＣＵ２０は、ＬＥＤ２のデューティ比が変更デューティ比Ｄ１に達する前は間隔時間Ｔ１を設定し、ＬＥＤ２のデューティ比が変更デューティ比Ｄ２に達した後は間隔時間Ｔ２に設定を変更する。【選択図】図４
2019036387.tif 000002
【特許請求の範囲】
【請求項１】
光源の輝度を調整する照明装置であって、
複数のステップに対する輝度及び輝度変化を示すマップが記録された第１記録部と、
１ステップの間隔時間を設定する設定部と、
前記設定された間隔時間毎に前記マップから次のステップの輝度を読み出して、読み出した輝度で前記光源を発光させる制御部と、
変更輝度、前記変更輝度に対応した変更前の間隔時間及び変更後の間隔時間を記録する第２記録部と、を備え、
前記設定部は、前記光源の輝度が前記変更輝度に達する前は前記変更前の間隔時間を設定し、前記光源の輝度が前記変更輝度に達した後は前記変更後の間隔時間に設定を変更することを特徴とする照明装置。
【請求項２】
前記第２記録部には、最終輝度がさらに記録され、
前記制御部は、前記光源の輝度が前記最終輝度に達すると当該最終輝度を維持することを特徴とする請求項１に記載の照明装置。
【請求項３】
前記第２記録部には、複数のバリエーションに対応する変更輝度、変更前の間隔時間及び変更後の間隔時間が記録され、
前記設定部は、複数のバリエーションの１つに対応する変更輝度、変更前の間隔時間及び変更後の間隔時間に応じて間隔時間を設定することを特徴とする請求項１又は２に記載の照明装置。
【請求項４】
前記第１記録部、前記設定部及び前記制御部を有するスレーブ装置と、
前記スレーブ装置と通信可能に設けられ、前記第２記録部を有するマスタ装置と、を備え、
前記マスタ装置は、前記変更輝度及び前記変更輝度に対応した変更前の間隔時間を含んだ制御信号を前記スレーブ装置に送信し、
前記スレーブ装置の前記設定部は、前記制御信号の受信に応じて、前記マスタ装置から受信した変更輝度に達するまで前記変更前の間隔時間に設定し、
前記マスタ装置は、前記制御信号の送信後、かつ、前記光源の輝度が前記変更輝度に達する前に、前記変更輝度に対応した変更後の間隔時間を含んだ次の制御信号を前記スレーブ装置に送信し、
前記スレーブ装置の前記設定部は、前記次の制御信号の受信に応じて、前記光源の輝度が前記変更輝度に達すると前記マスタ装置から受信した変更後の間隔時間に設定し変更することを特徴とする請求項１〜３何れか１項に記載の照明装置。
【発明の詳細な説明】
【技術分野】
【０００１】
本発明は、照明装置に関する。
【背景技術】
【０００２】
例えば、車両に搭載された照明装置は、徐々に輝度を上げて点灯、又は、徐々に輝度を下げて消灯するフェード動作を行っている。このような照明装置は、時間に応じたデューティ値（輝度）を規定するマップを有していて、マップに従って輝度制御を行っている（例えば特許文献１、２）。
【先行技術文献】
【特許文献】
【０００３】
【特許文献１】特開２０１６−１２６８６８号公報
【特許文献２】特開２０１３−６９４４８号公報
【発明の概要】
【発明が解決しようとする課題】
【０００４】
しかしながら、従来の照明装置は、様々なバリエーションのフェード動作をしたい場合は、バリエーション毎にマップを多数準備する必要があり、メモリ容量を圧迫する、という問題があった。
【０００５】
本発明は、以上の背景に鑑みてなされたものであり、メモリ容量の消費を抑制しつつ様々なバリエーションのフェード動作の演出ができる照明装置を提供することを目的としている。
【課題を解決するための手段】
【０００６】
本発明の態様である照明装置は、光源の輝度を調整する照明装置であって、複数のステップに対する輝度及び輝度変化を示すマップが記録された第１記録部と、１ステップの間隔時間を設定する設定部と、前記設定された間隔時間毎に前記マップから次のステップの輝度を読み出して、読み出した輝度で前記光源を発光させる制御部と、変更輝度、前記変更輝度に対応した変更前の間隔時間及び変更後の間隔時間を記録する第２記録部と、を備え、前記設定部は、前記光源の輝度が前記変更輝度に達する前は前記変更前の間隔時間を設定し、前記光源の輝度が前記変更輝度に達した後は前記変更後の間隔時間に設定を変更することを特徴とする。
【０００７】
また、前記第２記録部には、最終輝度がさらに記録され、前記制御部は、前記光源の輝度が前記最終輝度に達すると当該最終輝度を維持するようにしてもよい。
【０００８】
また、前記第２記録部には、複数のバリエーションに対応する変更輝度、変更前の間隔時間及び変更後の間隔時間が記録され、前記設定部は、複数のバリエーションの１つに対応する変更輝度、変更前の間隔時間及び変更後の間隔時間に応じて間隔時間を設定するようにしてもよい。
【０００９】
また、前前記第１記録部、前記設定部及び前記制御部を有するスレーブ装置と、前記スレーブ装置と通信可能に設けられ、前記第２記録部を有するマスタ装置と、を備え、前記マスタ装置は、前記変更輝度及び前記変更輝度に対応した変更前の間隔時間を含んだ制御信号を前記スレーブ装置に送信し、前記スレーブ装置の前記設定部は、前記制御信号の受信に応じて、前記マスタ装置から受信した変更輝度に達するまで前記変更前の間隔時間に設定し、前記マスタ装置は、前記制御信号の送信後、かつ、前記光源の輝度が前記変更輝度に達する前に、前記変更輝度に対応した変更後の間隔時間を含んだ次の制御信号を前記スレーブ装置に送信し、前記スレーブ装置の前記設定部は、前記次の制御信号の受信に応じて、前記光源の輝度が前記変更輝度に達すると前記マスタ装置から受信した変更後の間隔時間に設定し変更するようにしてもよい。
【発明の効果】
【００１０】
以上説明したように態様によれば、メモリ容量の消費を抑制しつつ様々なバリエーションのフェード動作の演出ができる。
【図面の簡単な説明】
【００１１】
【図１】本発明の照明装置を組み込んだ照明システムの一実施形態を示す図である。
【図２】図１のスレーブＥＣＵに記録されたマップを示す図である。
【図３】第１実施形態における図１のスレーブＥＣＵのフェードアウト処理手順の一例を示すフローチャートである。
【図４】バリエーションｍにおけるＬＥＤに出力するデューティ比と経過時間との関係を示すグラフである。
【図５】他のバリエーションにおけるＬＥＤに出力するデューティ比と経過時間との関係を示すグラフである。
【図６】第１実施形態における図１のスレーブＥＣＵのフェードイン処理手順の一例を示すフローチャートである。
【図７】第２実施形態におけるマスタＥＣＵとスレーブＥＣＵとの通信を説明するための説明図である。
【図８】第２実施形態におけるスレーブＥＣＵのフェード処理手順の一例を示すフローチャートである。
【発明を実施するための形態】
【００１２】
（第１実施形態）
以下、本発明の第１実施形態を図１に基づいて説明する。図１は、本発明の照明装置を組み込んだ照明システムの一実施形態を示す図である。図１に示す照明システム１は、乗用車等の車両に搭載され、車室内の各種照明を制御するために利用される。
【００１３】
照明システム１は、１つのマスタＥＣＵ１０と、マスタＥＣＵ１０からの制御信号に従ってＬＥＤ２（光源）を制御する複数のスレーブＥＣＵ（照明装置）２０と、を備えている。マスタＥＣＵ１０及び複数のスレーブＥＣＵ２０は、通信線Ｌ１で接続され、通信線Ｌ１を介して互いに通信可能である。
【００１４】
マスタＥＣＵ１０、スレーブＥＣＵ２０は各々、例えばＲＡＭ（Random Access Memory）１０Ａ、２０ＡやＲＯＭ（Read Only Memory）１０Ｂ、２０Ｂなどのメモリを備えたＣＰＵ（Central Processing Unit）１０Ｃ、２０Ｃを含んで構成されている。
【００１５】
マスタＥＣＵ１０のＣＰＵ１０Ｃ（以下、単にマスタＥＣＵ１０と言うときもある）は、例えば、ユーザ（運転者等）が操作可能な車両上の各種スイッチや、様々な状態を検出する各種センサの状態を監視したり、図示しない上位ＥＣＵから入力される情報に基づいてスレーブＥＣＵ２０に制御信号を送信する。
【００１６】
スレーブＥＣＵ２０のＣＰＵ２０Ｃ（以下、単にスレーブＥＣＵ２０と言うときもある）は、ＬＥＤ２の消灯、点灯を制御する。スレーブＥＣＵ２０は、ＬＥＤ２に対してパルスを出力し、そのデューティ比に応じた輝度でＬＥＤ２を発光させるＰＷＭ(Pulse Width Modulation)調光方式を採用している。
【００１７】
スレーブＥＣＵ２０の第１記録部としてのＲＯＭ２０Ｂ内には、図２などに示すように、複数ステップに対するデューティ比（輝度）を示すマップが１つだけ記録されている。即ち、マップは、１つのスレーブＥＣＵ２０に対して１つだけ記録されている。また、本実施形態で記録されるマップは、ステップ数が増えるに従ってデューティ比が低くなるフェードアウト用のマップである。
【００１８】
また、スレーブＥＣＵ２０の第２記録部としてのＲＯＭ２０Ｂ内には、下記の表１に示すように、複数のバリエーションＶ１〜Ｖｎ（ｎは任意の整数）毎に変更デューティ比Ｄ１（変更輝度）、変更前の間隔時間Ｔ１、変更後の間隔時間Ｔ２、最終デューティ比ＤＬ（最終輝度）が記録されている。
【表１】
2019036387.tif 000003
【００１９】
次に、上述した構成の照明システム１の動作について説明する。まず、図３のフローチャートを参照して、フェードアウト処理について説明する。マスタＥＣＵ１０は、特定のＬＥＤ２をバリエーションＶｍ（ｍは１〜ｎの任意の整数）でフェードアウト動作する必要があると判定すると、その旨を示す制御信号を特定のＬＥＤを制御するスレーブＥＣＵ２０宛に送信する。
【００２０】
マスタＥＣＵ１０が送信する制御信号には、バリエーションＶｍの情報及びフェードアウトする旨が含まれている。なお、マスタＥＣＵ１０は、各種スイッチや各種センサの状態及び上位ＥＣＵから入力される情報に基づいて上記判定を行う。
【００２１】
スレーブＥＣＵ２０は、自身宛の上記制御信号を受信すると、図３に示すフェードアウト処理を実行する。フェードアウト処理において、スレーブＥＣＵ２０は、マップから現在デューティ比に対応するステップを判定し、判定したステップを現ステップｒとする（ステップＳ１）。例えば、現在デューティ比が１００％であれば、スレーブＥＣＵ２０は、ステップ「０」を現ステップ数ｒとする。次に、スレーブＥＣＵ２０は、バリエーションＶｍに対応する間隔時間Ｔ１、Ｔ２、変更デューティ比Ｄ１、最終デューティ比ＤＬを読み出す（ステップＳ２）。
【００２２】
その後、スレーブＥＣＵ２０のＣＰＵ２０Ｃは、設定部として機能し、間隔時間Ｔ１を１ステップの間隔時間Ｔとして設定する（ステップＳ３）。次に、スレーブＥＣＵ２０は、現ステップｒをインクリメントした後（ステップＳ４）、間隔時間Ｔが経過するまで待機する（ステップＳ５）。間隔時間Ｔが経過すると（ステップＳ５でＹ）、スレーブＥＣＵ２０は、マップから現ステップｒに応じたデューティ比を読み出し（ステップＳ６）、読み出したデューティ比のパルスをＬＥＤ２に対して出力する（ステップＳ７）。上記ステップＳ５〜Ｓ７において、スレーブＥＣＵ２０のＣＰＵ２０Ｃは制御部として機能する。
【００２３】
また、スレーブＥＣＵ２０は、ステップＳ７で出力したパルスのデューティ比が変更デューティ比Ｄ１にも、最終デューティ比ＤＬにも達していなければ（ステップＳ８でＮ、かつ、ステップＳ１０でＮ）、間隔時間Ｔを変更することなく、ステップＳ４に戻る。これにより、スレーブＥＣＵ２０は、１ステップの間隔時間Ｔ＝Ｔ１でのデューティ比制御を継続する。
【００２４】
一方、スレーブＥＣＵ２０のＣＰＵ２０Ｃは、ステップＳ７で出力したパルスのデューティ比が変更デューティ比Ｄ１に達していれば（ステップＳ８でＹ）、設定部として機能し、間隔時間Ｔ２を１ステップの間隔時間Ｔとして設定した後（ステップＳ９）、ステップＳ４に戻る。これにより、間隔時間Ｔが間隔時間Ｔ１から間隔時間Ｔ２に変更される。
【００２５】
その後、スレーブＥＣＵ２０は、ステップＳ７で出力したパルスのデューティ比が最終デューティ比ＤＬに達していれば（ステップＳ１０でＹ）、フェードアウト処理を終了する。これにより、最終デューティ比ＤＬでのＬＥＤ２の制御が維持される。最終デューティ比ＤＬが０であった場合、ＬＥＤ２の消灯が維持される。
【００２６】
上述したフェードアウト処理の具体的な一例について図２及び図４を参照して説明する。例えば、バリエーションＶｍに対応する変更デューティ比が５０％、間隔時間Ｔ１＝２０ｍｓ、間隔時間Ｔ２＝６０ｍｓの場合について考えてみる。現在デューティ比は１００％とする。マップは、例えば図２に示すように、ステップ「０」に対応したデューティ比が１００％に設定されている。マップは、ステップが増加する毎に、デューティ比が小さくなり、ステップ「１０」に対応したデューティ比が５０％、ステップ「２０」に対応したデューティ比が０％に設定されているものとする。
【００２７】
この場合、スレーブＥＣＵ２０は、デューティ比が現在デューティ比１００％から変更デューティ比５０％に達するまでの間は、１ステップ毎の間隔時間Ｔを間隔時間Ｔ１＝２０ｍｓに設定してフェードアウト処理を行う。この結果、図４に示すように、スレーブＥＣＵ２０は、２００ｍｓの時間をかけてデューティ比を１００％から５０％に落とす。変更デューティ比５０％に達すると、スレーブＥＣＵ２０は、１ステップ毎の間隔時間Ｔを間隔時間Ｔ２＝６０ｍｓに設定する。
【００２８】
スレーブＥＣＵ２０は、デューティ比が最終デューティ比に達するまでの間は、１ステップ毎の間隔Ｔを間隔時間Ｔ２＝６０ｍｓに維持する。この結果、スレーブＥＣＵ２０は、６００ｍｓの時間をかけてデューティ比５０％から最終デューティ比０％まで落とす。
【００２９】
これにより、スレーブＥＣＵ２０は、最初は急激にデューティ比を落として、デューティ比が５０％に達するとゆっくりとデューティ比を落とすようにＬＥＤ２を制御することができる。
【００３０】
一方、他のバリエーションに対応する変更デューティ比が５０％、間隔時間Ｔ１＝６０ｍｓ、間隔時間Ｔ２＝２０ｍｓの場合について考えてみる。
【００３１】
スレーブＥＣＵ２０は、デューティ比が現在デューティ比１００％から変更デューティ比５０％に達するまでの間は、１ステップ毎の間隔時間Ｔを間隔時間Ｔ１＝６０ｍｓに設定してフェードアウト処理を行う。この結果、図５に示すように、スレーブＥＣＵ２０は、６００ｍｓの時間をかけてデューティ比を１００％から５０％に落とす。変更デューティ比５０％に達すると、スレーブＥＣＵ２０は、１ステップ毎の間隔時間Ｔを間隔時間Ｔ２＝２０ｍｓに設定する。スレーブＥＣＵ２０は、デューティ比が最終デューティ比に達するまでの間は、１ステップ毎の間隔Ｔを間隔時間Ｔ２＝２０ｍｓに維持する。この結果、スレーブＥＣＵ２０は、２００ｍｓの時間をかけてデューティ比５０％から最終デューティ比０％まで落とす。
【００３２】
これにより、スレーブＥＣＵ２０は、最初はゆっくりデューティ比を落として、デューティ比が５０％に達すると急激にデューティ比を落とすようにＬＥＤ２を制御することができる。
【００３３】
上述したようにスレーブＥＣＵ２０は、図２に示す１つのマップを用いて、図４及び図５に示すような複数のバリエーションのフェードアウト動作を行うことができる。
【００３４】
次に、図６のフローチャートを参照してフェードイン処理について説明する。マスタＥＣＵ１０は、特定のＬＥＤをバリエーションｍ（ｍは１〜ｎの任意の整数）でフェードイン動作する必要があると判定すると、その旨を示す制御信号を特定のＬＥＤ２を制御するスレーブＥＣＵ２０宛に送信する。
【００３５】
スレーブＥＣＵ２０は、自身宛の上記制御信号を受信すると、図６に示すフェードイン処理を実行する。図６において、上述した図３に示すフェードアウト処理と同等の動作には同一符号を付してその詳細な説明を省略する。フェードイン処理において、スレーブＥＣＵ２０は、マップから現在デューティ比に対応するステップを判定し、判定したステップを現ステップｒとする（ステップＳ１）。例えば、現在デューティ比が０％であれば、スレーブＥＣＵ２０は、ステップ「２０」を現ステップｒとする。その後、スレーブＥＣＵ２０は、上述したフェードアウト処理と同様にステップＳ２、Ｓ３を実行する。
【００３６】
次に、スレーブＥＣＵ２０は、現ステップｒをデクリメントした後（ステップＳ１１）、フェードアウト処理と同様のステップＳ５〜Ｓ１０を実行する。ステップＳ１１でデクリメントするだけで、１つのマップを用いてフェードイン、フェードアウト処理を行うことができる。
【００３７】
上述した実施形態によれば、スレーブＥＣＵ２０のＲＯＭ２０Ｂに変更デューティ比Ｄ１、間隔時間Ｔ１、Ｔ２が記録されている。また、スレーブＥＣＵ２０は、ＬＥＤ２の輝度が変更デューティ比Ｄ１に達する前は間隔時間Ｔ１を１ステップの間隔時間Ｔとして設定し、デューティ比が変更デューティ比Ｄ１に達した後は間隔時間Ｔ２を１ステップの間隔時間Ｔとして設定を変更する。
【００３８】
これにより、表２に示すように変更デューティ比Ｄ１、間隔時間Ｔ１、Ｔ２にバリエーションＶ１〜Ｖｍを持たせれば、スレーブＥＣＵ２０は、１つのマップで様々なバリエーションＶ１〜Ｖｍでのフェード動作を行うことができる。このため、バリエーション毎にマップを記録する必要がないため、メモリ容量の消費を抑制しつつ様々なバリエーションのフェード動作の演出ができる。また、メモリ容量の消費を抑制するため、メモリ容量の小さい、低コストのメモリを用いることができる。
【００３９】
また、上述した実施形態によれば、スレーブＥＣＵ２０のＲＯＭ２０Ｂには最終デューディ比ＤＬが記録されている。このため、スレーブＥＣＵ２０は、デューティ比が最終デューティ比ＤＬに達すると最終デューティ比ＤＬを維持できる。
【００４０】
なお、上述した実施形態によれば、変更デューティ比Ｄ１は、バリエーションＶ１〜Ｖｎ毎に１つだけ記録されているが、これに限ったものではない。下記の表２に示すように、複数の変更デューティ比Ｄ１〜Ｄｐ（ｐは２以上の任意の整数）と、複数の変更デューティ比Ｄ１〜Ｄｐに対応した間隔時間Ｔ１〜Ｔｐ＋１を記録できるようにしてもよい。
【表２】
2019036387.tif 000004
【００４１】
なお、この場合、間隔時間Ｔｑ（ｑは１〜ｐ＋１までの任意の整数）が、変更デューティ比Ｄｑに対する変更前の間隔時間に相当し、間隔時間Ｔｑ＋１が変更デューティ比Ｄｑに対する変更後の間隔時間に相当する。また、この場合、全てのバリーションＶ１〜Ｖｎについてｐ個の変更デューティ比を記録する必要はなく、変更デューティ比の数は１〜ｐ個の何れでもよい。例えば、バリエーションＶ１は、１つの変更デューティ比Ｄ１のみが記録されていて、変更デューティ比Ｄ２〜Ｄｐ、間隔時間Ｔ３〜Ｔｐ＋１を記録するエリアはブランクに設定される。
【００４２】
この場合も、スレーブＥＣＵ２０は、デューティ比が変更デューティ比Ｄ１〜Ｄｐに達する毎に間隔時間Ｔを変更し、これをデューティ比が最終デューティ比ＤＬに達するまで繰り返す。
【００４３】
また、上述した実施形態によれば、スレーブＥＣＵ２０は、フェードアウト用のマップを用いてフェードイン処理を行っていたがこれに限ったものではない。例えば、フェードイン用のマップとフェードアウト用の２つのマップを記録し、スレーブＥＣＵ２０は、フェードイン用マップを用いてフェードイン処理を行い、フェードアウト用マップを用いてフェードアウト処理を行うようにしてもよい。
【００４４】
（第２実施形態）
次に、第２実施形態における照明システムについて説明する。第２実施形態の照明システムの構成は、図１に示す第１実施形態と同様であるためここでは詳細な説明を省略する。第１実施形態では、表１などに示す各種バリエーションＶ１〜Ｖｎに対応する変更デューティ比Ｄ１、間隔時間Ｔ１、Ｔ２はスレーブＥＣＵ２０のＲＯＭ２０Ｂ内に記録していたが、第２実施形態ではマスタＥＣＵ１０のＲＯＭ１０Ｂに記録されている。即ち、第２実施形態では、マスタＥＣＵ１０がマスタ装置を構成し、スレーブＥＣＵ２０がスレーブ装置を構成し、照明システム１が照明装置を構成する。
【００４５】
次に、上述した構成の照明システム１の動作について、図７及び図８を参照して説明する。
【００４６】
マスタＥＣＵ１０は、特定のＬＥＤ２をバリエーションＶｍでフェードアウト動作する必要があると判定すると、図７に示すように、バリエーションＶｍに対する間隔時間Ｔ１と変更デューティ比Ｄ１を含んだ制御信号を送信する。なお、本実施形態では、表２に示すように、バリエーションＶｍに対してｑ個の変更デューティ比Ｄ１〜Ｄｑが格納されているものとして説明する。
【００４７】
スレーブＥＣＵ２０は、間隔時間Ｔ１、変更デューティ比Ｄ１の受信に応じて図８に示すフェード処理を実行する。フェード処理において、スレーブＥＣＵ２０は、１ステップ毎の間隔時間Ｔを受信した間隔時間Ｔ１に設定し、デューティ比Ｄを受信した変更デューティ比Ｄ１に設定する（ステップＳ２０）。その後、スレーブＥＣＵ２０は、デューティ比がデューティ比Ｄに達するまで（ステップＳ２２でＮ）、マップに従って間隔時間Ｔ毎にデューティ比を変更（増加又は減少）させる（ステップＳ２１）。
【００４８】
一方、マスタＥＣＵ１０は、デューティ比が前回の制御信号で送信した変更デューティ比Ｄ１に達する前に、図７に示すように、次の間隔時間Ｔ２、変更デューティ比Ｄ２を含んだ制御信号を送信する。同様に、マスタＥＣＵ１０は、デューティ比が前回の制御信号で送信した変更デューティ比Ｄｓ−１（ｓは２〜ｑまでの任意の整数）に達する前に、次の間隔時間Ｔｓ、変更デューティ比Ｔｓを含んだ制御信号を順次送信する。そして、最後に、マスタＥＣＵ１０は、間隔時間Ｔｑ＋１、最終デューティ比ＤＬを含んだ制御信号を送信する。
【００４９】
スレーブＥＣＵ２０は、上記フェード処理と並列に受信処理を行い、上記制御信号を受信すると、受信した間隔時間、デューティ比を待機間隔時間Ｔnext、待機デューティ比ＤnextとしてＲＡＭ２０Ａ内に一時的に格納する。フェード処理において、スレーブＥＣＵ２０は、デューティ比がデューティ比Ｄに達し（ステップＳ２２でＹ）、かつ、デューティ比Ｄとして最終デューティ比ＤＬが設定されていなければ（ステップＳ２３でＮ）、待機間隔時間Ｔnextを間隔時間Ｔとして設定し、デューティ比Ｄとして待機デューティ比Ｄnextを設定し（ステップＳ２４）、ステップＳ２１の動作を繰り返す。
【００５０】
スレーブＥＣＵ２０は、デューティ比がデューティ比Ｄに達し（ステップＳ２２でＹ）、かつ、デューティ比Ｄとして最終デューティ比ＤＬが設定されていれば（ステップ２３でＹ）、直ちに処理を終了して最終デューティ比を維持する。
【００５１】
ところで、表２に示す例では、バリエーションに対応した全ての変更デューティ比Ｄ１〜Ｄｐ、ＤＬ、間隔時間Ｔ１〜Ｔｐ＋１を一括で送信する場合、制御信号としては、ｐ＋１個の変更又は最終デューティ比、ｐ＋１個の間隔時間を送信できるデータ長が必要となる。しかしながら、バリエーションの中には変更デューティ比が１つしかないものあり（例えばバリエーションＶ１）、その場合はデューティ比Ｄ２〜Ｄｐ、間隔時間Ｔ３〜Ｔｐ＋１を格納するためのデータ長が無駄になり、通信効率が悪い。
【００５２】
上述した第２実施形態によれば、１つの制御信号に含めるものは、１つのデューティ比と１つの間隔時間だけであり、無駄に制御信号のデータ長を長くする必要がなく、通信効率の向上を図ることができる。しかも、デューティ比が変更デューティ比に達する前に次の変更デューティ比、間隔時間を送信しているため、変更デューティ比に達した後、直ちに間隔時間の変更することができる。
【００５３】
なお、本発明は上記実施形態に限定されるものではない。即ち、本発明の骨子を逸脱しない範囲で種々変形して実施することができる。
【符号の説明】
【００５４】
１  照明システム（照明装置）
２  ＬＥＤ（光源）
１０  マスタＥＣＵ（マスタ装置）
１０Ｂ  ＲＯＭ（第２記録部）
２０  スレーブＥＣＵ（照明装置、スレーブ装置）
２０Ｂ  ＲＯＭ（第１記録部、第２記録部）
２０Ｃ  ＣＰＵ（設定部、制御部）
【図１】
2019036387.tif 000005
【図２】
2019036387.tif 000006
【図３】
2019036387.tif 000007
【図４】
2019036387.tif 000008
【図５】
2019036387.tif 000009
【図６】
2019036387.tif 000010
【図７】
2019036387.tif 000011
【図８】
2019036387.tif 000012